(57)【要約】【課題】画像を入力してメモリに蓄積し、蓄積された画像を出力するまでの画像入出力処理を高速に行う。【解決手段】画像処理モードが追っかけ制御可能な高速コピーモードの場合（Ｓ１７０３のＹＥＳ）、スキャナで読み取った画像に対して圧縮しない、若しくは固定長圧縮モードを設定し（Ｓ１７０４）、その設定に従って入力された画像をメモリに蓄積し、スキャン途中に、メモリに蓄積された画像をプリンタへ出力する、追っかけ制御を行うように設定する（Ｓ１７０５）。【選択図】      図１７
2004266513.tif 000002
【特許請求の範囲】
【請求項１】
画像処理モードに応じて、入力された画像を所定の圧縮方法で圧縮してメモリに蓄積する蓄積工程と、
前記蓄積工程で蓄積された画像を出力する出力工程と、
前記蓄積工程で前記画像を圧縮してメモリに蓄積中に、前記出力工程で画像の出力を開始するように制御する制御工程とを有することを特徴とする画像入出力制御方法。
【請求項２】
前記蓄積工程では、前記画像処理モードが高速コピーモードの場合、画像入力装置から入力された画像を固定長圧縮方法で圧縮してメモリに蓄積することを特徴とする請求項１に記載の画像入出力制御方法。
【請求項３】
前記蓄積工程では、前記画像処理モードが高速コピーモードの場合、画像入力装置から入力された画像を圧縮しないでメモリに蓄積することを特徴とする請求項１に記載の画像入出力制御方法。
【請求項４】
前記蓄積工程では、前記画像処理モードが高速コピーモードでない場合、前記入力された画像を可変長圧縮方法で圧縮してメモリに蓄積することを特徴とする請求項１に記載の画像入出力制御方法。
【請求項５】
前記出力工程では、圧縮された画像を伸張して画像出力装置へ出力することを特徴とする請求項１に記載の画像入出力制御方法。
【請求項６】
画像処理モードに応じて、入力された画像を所定の圧縮方法で圧縮してメモリに蓄積する蓄積手段と、
前記蓄積手段に蓄積された画像を出力する出力手段と、
前記蓄積手段に前記画像を圧縮してメモリに蓄積中に、前記出力手段で画像の出力を開始するように制御する制御手段とを有することを特徴とする画像入出力装置。
【請求項７】
コンピュータに請求項１に記載の画像入出力制御方法を実行させるためのプログラム。
【請求項８】
請求項７に記載のプログラムが記録されたコンピュータ読み取り可能な記録媒体。
【発明の詳細な説明】
【０００１】
【発明の属する技術分野】
本発明は、画像を入力してメモリに蓄積し、蓄積された画像を出力する技術に関する。
【０００２】
【従来の技術】
近年、ディジタル複写機はメモリを有し、スキャナから読み取った画像を一旦メモリ上に蓄積し、蓄積した画像をプリンタに送るという画像フローが行われている。そして、白黒の複写機ではメモリ容量が少なくてすむため、スキャナから読み込んだ時点では２値の非圧縮データを用いることが多い。一方、カラー画像はＲＧＢで各色８ｂｉｔ／ｐｉｘｅｌの階調を持つため、非圧縮データでメモリに格納することが困難である。従って、カラー画像の場合、ＪＰＥＧなどの圧縮を行って格納する方式が提案されている。
【０００３】
一方、ディジタル複写機の高速コピーモードをより高速に行うため、スキャナからの画像をメモリに所定量蓄積すると、プリントを開始するという制御（以下、追っかけ制御）が行われている。
【０００４】
【発明が解決しようとする課題】
しかしながら、上記ＪＰＥＧのような可変長符号化方法は圧縮率が良い反面、一定時間当たりのスキャナからの符号量が決まっていないため、プリントを開始できるタイミングがなく、追っかけ制御を行うことができなかった。
【０００５】
本発明は、上記課題を解決するためになされたもので、画像を入力してメモリに蓄積し、蓄積された画像を出力するまでの画像入出力処理を高速に行うことを目的とする。
【０００６】
【課題を解決するための手段】
上記目的を達成するために、本発明の画像入出力制御方法は、画像処理モードに応じて、入力された画像を所定の圧縮方法で圧縮してメモリに蓄積する蓄積工程と、前記蓄積工程で蓄積された画像を出力する出力工程と、前記蓄積工程で前記画像を圧縮してメモリに蓄積中に、前記出力工程で画像の出力を開始するように制御する制御工程とを有することを特徴とする。
【０００７】
また、本発明の画像入出力装置は、画像処理モードに応じて、入力された画像を所定の圧縮方法で圧縮してメモリに蓄積する蓄積手段と、前記蓄積手段に蓄積された画像を出力する出力手段と、前記蓄積手段に前記画像を圧縮してメモリに蓄積中に、前記出力手段で画像の出力を開始するように制御する制御手段とを有することを特徴とする。
【０００８】
【発明の実施の形態】
以下、図面を参照しながら本発明に係る実施の形態を詳細に説明する。
【０００９】
本実施形態では、高速コピーモードなど所定のモードの場合、非圧縮、或いは固定長圧縮を用いて一定時間当たりのスキャナからの符号量を一定とし、所定量メモリに蓄積したときに、プリンタにプリントを開始させる「追っかけ制御」を可能とするものである。またカラー画像に対する高品位コピーモードなどの場合には、可変長圧縮を用いることで、メモリ消費量を少なくするものである。
【００１０】
図１は、実施形態による画像形成システムの全体構成を示すブロック図である。図１に示すように、画像形成装置１１０は、画像入力デバイスであるスキャナ部１１３、画像出力デバイスであるプリンタ部１１４、制御ユニット（Ｃｏｎｔｒｏｌ  Ｕｎｉｔ）１１１、ユーザインターフェースである操作部１１２を有する。スキャナ部１１３、プリンタ部１１４、操作部１１２はそれぞれ、制御ユニット１１１に接続され、制御ユニット１１１からの命令によって制御されている。また、制御ユニット１１１は、ローカルエリアネットワーク（ＬＡＮ）１００などのネットワーク伝送手段、公衆回線１０２に接続されている。公衆回線からはカラー画像送信を含むＧ３、Ｇ４ファックスによる送信が可能である。
【００１１】
また、ＬＡＮ１００には、画像形成装置１１０と同様な機器構成を有する他の画像形成装置１２０、１３０も接続されている。そして、画像形成装置１２０は、スキャナ部１２３、プリンタ部１２４、操作部１２２を有し、それぞれが制御ユニット１２１に接続され、制御されている。画像形成装置１３０は、スキャナ部１３３、プリンタ部１３４、操作部１３２を有し、それぞれが制御ユニット１３１に接続され、制御されている。
【００１２】
また、パーソナルコンピュータ（ＰＣ）１０１は、ＬＡＮ１００などのネットワーク伝送手段に接続されている。パーソナルコンピュータ１０１は、ＦＴＰ、ＳＭＢのような標準的なファイル転送プロトコルを使用したファイルの送受信、電子メールの送受信ができる。
【００１３】
図２は、図１に示す画像形成装置の詳細な構成を示すブロック図である。図２に示すように、制御ユニット１１１は、画像入力デバイスであるスキャナ１１３や画像出力デバイスであるプリンタ１１４と接続し、一方では、ＬＡＮ１００や公衆回線（ＷＡＮ）１０２と接続することにより、画像情報やデバイス情報の入出力を行うコントローラである。
【００１４】
制御ユニット１１１において、ＣＰＵ２０１は本装置全体を制御する。ＲＡＭ２０２はＣＰＵ２０１が処理を実行時に使用されるシステムワークメモリである。また、ＲＡＭ２０２は画像データを一時記憶するための画像メモリでもある。ＲＯＭ２０３はブートＲＯＭであり、装置のブートプログラムや制御データなどが格納されている。ＨＤＤ２０４はハードディスクドライブで、システムソフトウェア、画像データを格納する。
【００１５】
操作部Ｉ／Ｆ２０５は操作部（ＵＩ）１１２との間のインターフェースを司り、操作部１１２に表示する画像データを操作部１１２に対して出力する。また、ユーザが操作部１１２を介して入力した指示情報を、ＣＰＵ２０１に伝える役割を果たす。
【００１６】
ネットワーク（Ｎｅｔｗｏｒｋ）インターフェース２０６はＬＡＮ１００との接続を司り、ＬＡＮ１００に対して情報の入出力を行う。モデム（ＭＯＤＥＭ）２０７は、公衆回線１０２との接続を司り、公衆回線１０２に対して情報の入出力を行う。２値画像回転２０８及び２値画像圧縮・伸張２０９は、モデム２０７で２値画像を送信する前に画像の方向を変換し、所定の解像度、或いは相手能力に合わせた解像度に変換する。また、圧縮・伸張はＪＢＩＧ、ＭＭＲ、ＭＨをサポートしている。ＤＭＡＣ２１０はＤＭＡコントローラであり、ＲＡＭ２０２に格納されている画像をＣＰＵ２０１を介することなく読み取り、後述するＩｍａｇｅ  Ｂｕｓ  Ｉ／Ｆに対して画像を転送、もしくは後述する画像バスからの画像をＣＰＵ２０１を介することなくＲＡＭ２０２に書き込む。以上のデバイスがシステムバス２１１上に配置される。
【００１７】
イメージバスインターフェース（Ｉｍａｇｅ  Ｂｕｓ  Ｉ／Ｆ）２１２は、画像バス２１３を介して高速な画像の入出力を制御するためのインターフェースである。圧縮器２１４は画像バス２１３に画像を送出する前に３２×３２画素の単位でＪＰＥＧ圧縮するための圧縮器である。この圧縮器２１４はレジスタ設定によりＪＰＥＧで圧縮することができる他、非圧縮やベクトル量子化のような固定長圧縮も選択することが可能である。伸張器２１５は画像バス２１３を介して送られた画像を伸張するための伸張器である。伸張器２１５は圧縮器２１４と同様に、レジスタ設定により圧縮器２１４で圧縮された画像を伸張して出力か、もしくは非圧縮の画像をそのまま出力するかを選択することができる。
【００１８】
ラスターイメージプロセッサ（ＲＩＰ）２１６は、ＣＰＵ２０１がネットワークインターフェース２０６を介してホストコンピュータ１０１からＰＤＬコードを受け取り、中間コードに変換してＲＡＭ２０２に格納した中間コードをシステムバス２１１を介して入力し、ビットマップイメージ（多値）に展開する。スキャナ画像処理２１７はスキャナ１１３からのカラー画像、白黒画像に対して適切な各種画像処理（例えば補正、加工、編集）を行って出力する（多値）。同様にプリンタ画像処理２１８はプリンタ１１４に対して適切な各種画像処理（例えば補正、加工、編集）を行う。プリント時は伸張２１５で２値多値変換を行うので２値及び多値出力が可能である。
【００１９】
画像変換部２１９は、ＲＡＭ２０２上の画像を画像変換し、再度ＲＡＭ２０２に格納するときに適用される各種画像変換機能を有する。回転器２２０は３２×３２画素単位の画像を指定された角度で回転でき、２値及び多値の入出力に対応している。変倍器２２１は画像の解像度を変換（例えば６００ｄｐｉから２００ｄｐｉ）又は変倍（例えば２５％から４００％）する機能を有する。尚、変倍する前には、３２×３２画素の画像を３２ライン単位の画像に並び替える。色空間変換２２２は多値入力された画像をマトリクス演算及びルックアップテーブル（ＬＵＴ）により、例えばメモリ上にあるＹＵＶ画像をＬａｂ画像に変換し、メモリ上に格納する。また、この色空間変換は３×８のマトリクス演算及び１次元のＬＵＴを有し、公知の下地とばしや裏写り防止を行うことができる。変換された画像は多値で出力される。
【００２０】
２値多値変換２２３は１ｂｉｔ、２値画像を多値８ｂｉｔ、２５６階調に変換する。逆に多値２値変換２２７は、例えばメモリ上にある８ｂｉｔ、２５６階調の画像を誤差拡散処理などの手法により１ｂｉｔ、２階調に変換し、メモリ上に格納する。合成２２４はメモリ上の２枚の多値画像を１枚の多値画像に合成する機能を有する。例えば、メモリ上にある会社ロゴの画像と原稿画像とを合成することで、原稿画像に簡単に会社ロゴをつけることができる。間引き２２５は多値画像の画素を間引くことにより解像度変換を行う。ここでは、１／２、１／４、１／８の多値画像を出力可能である。また、変倍２２１と合わせて使うことで、より広範囲な拡大、縮小を行うことができる。移動２２６は入力された２値画像、多値画像に余白部分を付けたり、余白部分を削除したりして出力する。
【００２１】
上述した回転２２０、変倍２２１、色空間変換２２２、２値多値２２３、合成２２４、間引き２２５、移動２２６、多値２値２２７は、それぞれ連結して動作することが可能で、例えばメモリ上の多値画像を画像回転、解像度変換する場合、両処理をメモリを介さずに連結して行うことができる。
【００２２】
図３は、本実施形態における画像のデータ形式を示す図である。本実施形態で使用する画像のデータ形式は、特開２００１−１０３４７３で開示されている画像パケット構造である。上述の圧縮２１４ではラスター形式の画像を、図３に示すように、３２×３２画素単位のパケットとして並び替え、パケット単位でＪＰＥＧ圧縮を行う。また同時に、パケットにパケットの位置、圧縮方式（ＪＰＥＧ、ベクトル量子化、非圧縮）を示すＩＤ、色空間、ＱテーブルＩＤ、データ長などの情報を付加してヘッダーとする。また、文字、写真を示す２値のデータ（像域フラグ）も同様に圧縮し、ＪＰＥＧの後ろに付随させる。
【００２３】
図４は、本実施形態におけるパケットデータの構成を示す図である。上述した伸張２１５ではこのヘッダー情報に基づき、ＪＰＥＧを展開し、ラスター画像に並び替える。このようなパケット画像にすることで画像回転のときにはパケット内部の画像のみを回転し、パケットＩＤの位置を変更することで部分的に伸張・圧縮で回転することができるため、非常に効率が良い。Ｉｍａｇｅ  Ｂｕｓ  Ｉ／Ｆ２１２を流れる画像は全てパケット画像である。
【００２４】
また、ＦＡＸ送信や上述した２値画像回転２０８、２値画像圧縮・伸張２０９などでラスタ画像が必要な場合、パケット画像からラスタ画像への変換をソフトウェアによって行う。
【００２５】
図５は、図２に示すスキャナ画像処理部２１７の構成を示すブロック図である。スキャナ１１３から入力されたＲＧＢの各８ビットの輝度信号は、マスキング部５０１でＣＣＤのフィルタ色に依存しない標準的なＲＧＢ色信号に変換される。変換されたＲＧＢ色信号は、例えば９×９のマトリクスで構成されるフィルタ５０２に入力され、画像をぼかしたり、メリハリをつける処理が行われる。次に、ヒストグラム５０３は入力画像中の画像信号データのサンプリングを行う処理部であり、入力画像の下地レベル判定に使用される。このモジュールでは主走査方向、副走査方向にそれぞれ指定した開始点から終了点で囲まれた矩形領域内のＲＧＢデータを、主走査方向及び副走査方向に一定のピッチでサンプリングし、ヒストグラムを作成する。作成したヒストグラムは、下地とばしや裏写り防止が指定されたときに読み出され、ヒストグラムから原稿の下地を推測し、下地とばしレベルとして画像と共にメモリやＨＤＤに保存管理され、印刷や送信時の画像処理に使用される。ガンマ部５０４では、画像全体の濃度を濃く或いは薄くするように処理が行われる。入力画像の色空間を任意の色空間に変換、或いは入力系の色味に関する補正処理を行う部分である。
【００２６】
また、原稿がカラーか白黒かを判断するために変倍前の画像信号を色空間変換部５０５によって公知のＬａｂ空間の画像信号に変換する。このうち、ａ，ｂは色信号成分を表しており、比較器５０６内の所定のレベル以上であれば有彩色、そうでなければ無彩色として１ビットの判定信号を比較器５０６から出力する。そして、カウンタ５０７は比較器５０６からの出力を計数する。
【００２７】
更に、文字／写真判定部５０８は、マスキング部５０１から出力されたＲＧＢの信号から文字エッジを抽出し、入力画像を文字と写真に分離するものである。出力として、“文字写真判定信号”が得られる。この信号も画像と共にメモリやＨＤ（ハードディスク）に格納され、印刷時に使用される。
【００２８】
一方、特定原稿判定器５０９は、入力画像信号と、判定器内部で持つパターンがどの程度一致するかを比較し、図示したように一致、不一致という判定結果を出力することが可能である。そして、判定結果に応じて、画像を加工し、紙幣や有価証券などの偽造を防止することができる。
【００２９】
図６は、図２に示すプリンタ画像処理部２１８の構成を示すブロック図である。図６において、６０１は下地飛ばしであり、画像データの地色を飛ばし、不要な下地のカブリ除去を行う。例えば、３×８のマトリクス演算や１次元ＬＵＴにより下地飛ばしを行う。これは、上述したようにヒストグラム５０３にも含まれる機能であり、全く同等の回路である。６０２はモノクロ生成部であり、カラー画像データをモノクロデータに変換し、単色としてプリントする際に、カラー画像データ、例えばＲＧＢデータを、Ｇｒａｙ単色に変換する。例えば、ＲＧＢに任意の定数を掛け合わせ、Ｇｒａｙ信号とする１×３のマトリクス演算から構成される。６０３は出力色補正部であり、画像データを出力するプリンタ１１４の特性に合わせて色補正を行う。例えば、４×８のマトリクス演算や、ダイレクトマッピングにより画像データを処理する。
【００３０】
６０４はフィルタ処理部であり、画像データの空間周波数を任意に補正する。例えば、９×９のマトリクス演算により補正する。６０５はガンマ補正部であり、出力するプリンタ部の特性に合わせてガンマ補正を行う。通常１次元のＬＵＴから構成される。６０６は中間調補正部であり、出力するプリンタ部の階調数に合わせて任意の中間調処理を行う。具体的には、２値化や３２値化など、任意のスクリーン処理や誤差拡散処理を行う。各処理は図示しない文字／写真判定信号によって切り替えることも可能である。そして、６０７はドラム間遅延メモリであり、ＣＭＹＫの各色のドラムを持つカラープリンタにおいて、ＣＭＹＫの印字タイミングをドラム間分ずらすことでＣＭＹＫ画像を重ね合わせるためのメモリである。即ち、ＣＭＹＫ各色４ドラムを持つカラープリンタにおいて画像の位置を合わせるために遅延させることができる。
【００３１】
図７は、本実施形態における画像形成装置の外観を示す図である。図７に示す画像入力デバイスであるスキャナ１１３は、原稿上の画像をＣＣＤラインセンサ（図示せず）で走査することにより画像を光学的に読み取り、ラスターイメージデータを生成して出力する。使用者が原稿を原稿フィーダ７０５のトレイ７０６にセットし、操作部１１２において読み取りの起動を指示すると、コントローラＣＰＵ２０１がスキャナ１１３に指示を与え、フィーダ７０５は原稿を１枚ずつフィードし、スキャナ１１３が原稿上の画像の読み取り動作を行う。
【００３２】
また、画像出力デバイスであるプリンタ１１４は、ラスターイメージデータを用紙上に印刷する部分である。その方式は感光体ドラムや感光体ベルトを用いた電子写真方式、微少ノズルアレイからインクを吐出して用紙上に直接画像を印字するインクジェット方式等があるが、どの方式でも構わない。尚、プリント動作は、コントローラＣＰＵ２０１からの指示によって起動される。
【００３３】
また、プリンタ１１４は、異なる用紙サイズ又は異なる用紙向きを選択できるように複数の給紙段を持ち、それぞれに対応した用紙カセット７０１、７０２、７０３がある。そして、排紙トレイ７０４は、印字し終わった用紙を受けるものである。
【００３４】
図８は、図７に示す操作部１１２の構成を示す図である。図８に示すように、ＬＣＤ表示部８０１にはＬＣＤ上にタッチパネルシート８０２が貼られており、システムの操作画面及びソフトキーが表示されると共に、表示されたキーが押下されると、その押下された位置を示す位置情報がコントローラＣＰＵ２０１へと伝えられる。
【００３５】
図８に示すスタートキー８０５は、原稿画像の読み取り動作を開始する場合等に用いられる。このスタートキー８０５の中央部には、緑と赤の２色ＬＥＤ表示部８０６があり、その色によってスタートキー８０５が使える状態にあるか否かを示している。また、ストップキー８０３は稼働中の動作を止める働きをする。そして、ＩＤキー８０７は使用者のユーザＩＤを入力するときに用いられ、またリセットキー８０４は操作部からの設定を初期化するときに用いられる。
【００３６】
次に、本実施形態におけるコピー、送信、ボックスなどの処理についてＬＣＤ表示部８０１に表示される画面を用いて説明する。
【００３７】
図９は、本実施形態の画像形成装置における初期画面であり、各画像形成機能を設定後、表示される標準画面でもある。図９において、９０１はコピータブであり、コピー設定を行うためのコピー設定画面へ切り替えを行う。９０２は送信タブであり、スキャンした画像データをファクシミリ（ＦＡＸ）又は電子メールによる送信設定を行うための送信設定画面へ切り替えを行う。９０３はボックスタブであり、内蔵ハードディスク（ＨＤ）に格納されたスキャン画像を印字或いは送信する設定を行うためのボックス設定画面へ切り替えを行う。
【００３８】
９０４は画像を読み込む際の設定を表示するためのウィンドウである。９０５は画像読み込み時の解像度、濃度などの設定を行う。９０６はタイマー送信時のタイマー設定や、ＨＤ又はプリンタに印字する場合の設定などを行う。９０７は送信宛先が表示されるウィンドウである。９０８はウィンドウ９０７に送信宛先の表示を行う。９０９はウィンドウ９０７に１宛先の詳細な情報の表示を行う。９１０はウィンドウ９０７に表示された１宛先の消去を行う。
【００３９】
図１０は、読込設定９０５を押下したときに表示されるポップアップウィンドウを示す図である。図１０において、１００１は読み取り原稿のサイズをポップアップのなかから選択入力し、設定された読取サイズは１００２に表示される。１００３は原稿の読み取りモードを選択するところであり、押下するとカラー／ブラック／自動（ＡＣＳ）の３種類から選択できる。尚、図５に示したカウンタ５０７の計測結果が所定値よりも小さければ白黒原稿、大きければカラー原稿と判断し、カラーの場合はカラー画像を、ブラックの場合には白黒画像を、ＡＣＳの場合にはカラー画像と原稿がカラーか白黒かを判別した結果を蓄積する。
【００４０】
１００４は読み取り解像度を指定するためポップアップからの選択入力である。１００５は原稿の読み取り濃度を調整するためのスライダーであり、９段階の調整が行える。１００６は新聞のように下地がかぶった画像を読み込む場合に、濃度を自動的に決定するためのものである。
【００４１】
図１１は、コピータブ９０１を押下したときに表示される画面を示す図である。図１１において、１１０１はコピーできる状態か否かを示し、同時に設定したコピー部数も表示する。１１０２は図１０に示した自動１００６と同等の機能であり、下地除去を自動的に行うか否かを選択するためのボタンである。１１０３は図１０に示したスライダー１００５と同等の機能であり、９段階の濃度調整が行える。１１０４は原稿のタイプを選択するところであり、文字・写真・地図、文字、印画紙写真、印刷写真が選択できる。１１０５は応用モードボタンであり、縮小レイアウト（複数枚の原稿を１枚の用紙に縮小印字する機能）や、カラーバランス（ＣＭＹＫの各色微調整）などが設定できる。１１０６は各種フィニッシングにかかわる設定を行うボタンであり、シフトソート、ステープルソート、グループソートが設定できる。１１０７は両面読み込み及び両面印刷にかかわる設定を行うボタンである。
【００４２】
図１２は、ボックスタブ９０３を押下したときに表示される画面を示す図である。図１２において、１２００はＨＤＤ２０４を論理的に区分した各フォルダを示すものである。尚、各フォルダには、フォルダ番号が予め割り振られており、１２０１は０番のフォルダになる。また、フォルダ番号の横にはフォルダで使用しているディスク容量の割合が表示される。そして、フォルダには任意の名前を付けることができ、付けた名前もここに表示される。１２０２はＨＤＤ２０４の全体の使用量を表示したものである。
【００４３】
図１３は、フォルダ１２０１を押下したときに表示される画面を示す図である。図１３において、１３０１及び１３０２はフォルダ１２０１に格納されている文書である。各文書は複数のページで構成されている。文書１３０１はスキャンした文書であり、スキャン文書を示すアイコン表示、ＨＤＤ使用量、及びユーザが任意に設定できる文書名表示を表示している。同様に、文書１３０２はＰＤＬから格納したＰＤＬ文書であり、ＰＤＬ文書を示すアイコン表示、ＨＤＤ使用量、及びユーザが任意に設定できる文書名表示を表示している。また、アイコンを押下することで、その文書が選択されたことが反転表示によって示される。
【００４４】
また、１３０３は選択された文書を送信するためのボタンである。１３０４はスキャナから原稿を読み込み、文書を生成するためのボタンである。１３０５はフォルダ内の全ての文書（図１３に示す例では１３０１及び１３０２）を選択するためのボタンである。１３０６は選択された文書を削除するためのボタンである。１３０７は選択された文書を印刷するためのボタンである。１３０８は選択された文書を編集するためのボタンである。例えば、２つの文書を選択し、結合して１つの文書にして保存したり、特定のページを削除する機能を持っている。１３０９は最後に選択された文書の詳細な情報を表示するためのボタンである。このボタン１３０９を押下することにより、文書名以外にも解像度、原稿サイズ、カラーなどの情報を見ることができる。そして、１３１０はこの画面を閉じるためのボタンである。
【００４５】
次に、上述した構成を有する本実施形態における画像形成装置の制御ユニット１１１のＣＰＵ２０１によって実行されるソフトウェアについて説明する。
【００４６】
図１４は、画像形成装置におけるソフトウェア構成を示す図である。図１４において、１４０１はＵＩ制御部であり、ユーザインターフェースである操作部１１２を制御する。１４０２はコピーアプリケーション部であり、ＵＩ制御部１４０１からの指示を受け、所定の機器制御部分を制御してコピージョブを実行させる。１４０３は送信アプリケーション部であり、所定の機器制御部分を制御して送信ジョブを実行させる。１４０４はＢＯＸアプリケーション部であり、画像データを一時的に格納する。１４０５はＰＤＬアプリケーション部であり、ネットワークアプリケーション部１４１６からのデータを受けてＰＤＬプリントジョブを投入する。１４０６は共通インターフェース部であり、機器制御部分の機器依存部分を吸収する。
【００４７】
１４０７はジョブマネージャであり、共通インターフェース部１４０６から受け取った各種ジョブ情報を整理して下位層のドキュメント処理部に伝達する。ここで、ドキュメント処理部は、ローカルコピーであればスキャンマネージャ１４０９とプリントマネージャ１４１３であり、リモートコピーの送信ジョブ又は送信ジョブであればスキャンマネージャ１４０９とファイルストアマネージャ１４１４であり、リモートコピーの受信ジョブであればファイルリードマネージャ１４１０とプリントマネージャ１４１３であり、ＬＩＰＳやＰｏｓｔＳｃｒｉｐｔなどのＰＤＬプリントであればＰＤＬマネージャ１４１１とプリントマネージャ１４１３である。
【００４８】
尚、各ドキュメント処理部間の同期取りや画像処理の依頼はシンクマネージャ１４１２を介して行われ、スキャン、プリント時の画像処理や画像ファイルの格納はイメージマネージャ１４１５によって行われる。
【００４９】
上述したソフトウェア構成において、まずローカルコピーのソフトウェア処理について説明する。ユーザの指示により、ＵＩ制御部１４０１からコピー指示と共に、コピーの設定がコピーアプリケーション部１４０２に伝えられる。これにより、コピーアプリケーション部１４０２はＵＩ制御部１４０１からの情報を共通インターフェース部１４０６を介して制御を行うジョブマネージャ１４０７に伝える。そして、ジョブマネージャ１４０７がスキャンマネージャ１４０９及びプリントマネージャ１４１３にジョブの情報を伝達する。
【００５０】
スキャンマネージャ１４０９は、不図示のデバイスＩ／Ｆ（コントローラ１１１とスキャナ１１３、及びコントローラ１１１とプリンタ１１４を結ぶシリアルインターフェース）を介してスキャナ１１３にスキャン要求を行う。また同時に、シンクマネージャ１４１２を介してイメージマネージャ１４１５に画像処理要求を出す。イメージマネージャ１４１５はスキャンマネージャ１４０９の指示に従ってスキャナ画像処理部２１７の設定を行う。この設定が完了すると、シンクマネージャ１４１２を介してスキャン準備完了を伝える。その後、スキャンマネージャ１４０９はスキャナ１１３に対してスキャンを指示する。
【００５１】
ここで、スキャン画像転送完了は図示しないハードウェアからの割り込み信号によってイメージマネージャ１４１５に伝わる。イメージマネージャ１４１５からのスキャン完了を受けてシンクマネージャ１４１２はスキャン完了をスキャンマネージャ１４０９及びプリントマネージャ１４１３に伝える。同時に、シンクマネージャ１４１２はＲＡＭ２０２に蓄積された圧縮画像をＨＤＤ２０４にファイル化するため、イメージマネージャ１４１５に指示する。イメージマネージャ１４１５は指示に従ってメモリ上の画像（文字／写真判定信号を含めて）をＨＤＤ２０４に格納する。尚、画像の付随情報として不図示のカラー判定／白黒判定結果、下地とばしを行うための下地とばしレベル、画像入力元としてスキャン画像、色空間ＲＧＢも格納しておく。
【００５２】
また、イメージマネージャ１４１５はＨＤＤ２０４への格納が終了し、スキャナ１１３からのスキャン完了を受けると、シンクマネージャ１４１２を介してスキャンマネージャ１４０９にファイル化終了を通知する。そして、スキャンマネージャ１４０９はジョブマネージャ１４０７に対して終了通知を返し、ジョブマネージャ１４０７は共通インターフェース部１４０６を介してコピーアプリケーション部１４０２へ返す。
【００５３】
一方、プリントマネージャ１４１３は、メモリに画像が入った時点でデバイスＩ／Ｆを介してプリンタ１１４に印刷要求を出し、シンクマネージャ１４１２にプリント画像処理要求を行う。シンクマネージャ１４１２はプリントマネージャ１４１３から要求を受けると、画像処理設定をイメージマネージャ１４１５に依頼する。そして、イメージマネージャ１４１５は上述の画像の付随情報に従ってプリンタ画像処理部２１８の設定を行い、シンクマネージャ１４１２を介してプリントマネージャ１４１３にプリント準備完了を伝える。そして、プリントマネージャ１４１３はプリンタ１１４に対して印刷指示を出す。
【００５４】
ここで、プリント画像転送完了は図示しないハードウェアからの割り込み信号によってイメージマネージャ１４１５に伝わる。イメージマネージャ１４１５からのプリント完了を受けてシンクマネージャ１４１２はプリント完了をプリントマネージャ１４１３に伝える。また、プリントマネージャ１４１３はプリンタ１１４からの排紙完了を受け、ジョブマネージャ１４０７に対して終了通知を返し、ジョブマネージャ１４０７は共通インターフェース部１４０６を介してコピーアプリケーション部１４０２へ返す。そして、コピーアプリケーション部１４０２はスキャン、プリントが終了するとジョブ終了をＵＩ制御部１４０１に通知する。
【００５５】
次に、リモートコピーのスキャンジョブ或いは送信ジョブの場合は、プリントマネージャ１４１３に代わりファイルストアマネージャ１４１４がジョブマネージャ１４０７からの要求を受ける。スキャン画像をＨＤＤ２０４に格納し終わった時点で、シンクマネージャ１４１２から格納完了通知を受け、それを共通インターフェース部１４０６を介してリモートコピーならコピーアプリケーション部１４０２に、送信ジョブなら送信アプリケーション部１４０３に通知する。そして、コピーアプリケーション部１４０２、送信アプリケーション部１４０３はこの通知の後、ネットワークアプリケーション部１４１６にＨＤＤ２０４に格納されたファイルの送信を依頼する。そして、この依頼を受けたネットワークアプリケーション部１４１６がファイルを送信する。
【００５６】
ネットワークアプリケーション部１４１６はジョブ開始時にコピーアプリケーション部１４０２からコピーに関する設定情報を受け、それもリモート側に通知する。ネットワークアプリケーション部１４１６はリモートコピーの場合、機器固有の通信プロトコルを使用して送信を行う。また、送信ジョブの場合は、ＦＴＰ、ＳＭＢのような標準的なファイル転送プロトコルを使用する。
【００５７】
また、ファックス送信する場合は、ファイルが格納された後、送信アプリケーション部１４０３から共通インターフェース部１４０６、ジョブマネージャ１４０７を介してＦＡＸマネージャ１４０８に送信が指示される。ＦＡＸマネージャ１４０８はモデム２０７を介して相手機器とネゴシエーションを行い、必要な画像処理（カラー→白黒変換、多値２値変換、回転、変倍）をイメージマネージャ１４１５に依頼し、変換後の画像をモデム２０７を使って送信する。また、送信先にプリンタがある場合、送信アプリケーション部１４０３は共通インターフェース部１４０６を介してプリントジョブとしてプリントの指示を行う。そのときの動作は以下で説明するリモートコピーのプリントジョブの場合と同様である。また、送信宛先が機器内のボックス宛先になっているときはファイルストアマネージャ１４１４によって機器内のファイルシステムに格納する。
【００５８】
また、ＦＡＸ受信時はＦＡＸマネージャ１４０８がモデム２０７を使って画像を受信し、画像ファイルとしてＨＤＤ２０４に格納する。ＨＤＤ２０４に格納後、ボックスアプリケーション部１４０４に通知すると、ボックスアプリケーション部１４０４から受信プリントの指示が共通インタフェース部１４０６を介してジョブマネージャ１４０７になされる。その後は通常のボックスプリントジョブと同じ動作になるため省略する。
【００５９】
次に、リモートコピーのプリントジョブの場合は、送信側からの画像をネットワークアプリケーション部１４１６がＨＤＤ２０４に保存すると共にコピーアプリケーション部１４０２に対してジョブを発行する。これにより、コピーアプリケーション部１４０２は共通インターフェース部１４０６を介してジョブマネージャ１４０７にプリントジョブを投入する。この場合、ローカルコピーとは異なり、スキャンマネージャ１４０９に代わってファイルリードマネージャ１４１０がジョブマネージャ１４０７からの要求を受ける。
【００６０】
受信画像をＨＤＤ２０４からメモリに展開するための要求をシンクマネージャ１４１２を介してイメージマネージャ１４１５に行う。イメージマネージャ１４１５はメモリに画像を展開する。イメージマネージャ１４１５は展開が終了した時点で、展開終了をシンクマネージャ１４１２を経由してファイルリードマネージャ１４１０とプリントマネージャ１４１３に伝える。プリントマネージャ１４１３はメモリに画像が入った時点でデバイスＩ／Ｆを介してプリンタ１１４にジョブマネージャ１４０７から指示された給紙段、或いはその用紙サイズを有する段を選択し、印刷要求を出す。自動用紙の場合には画像サイズから給紙段を決定し、印刷要求を出す。
【００６１】
プリントマネージャ１４１３はシンクマネージャ１４１２にプリント画像処理要求を行う。シンクマネージャ１４１２はプリントマネージャ１４１３から要求を受けると画像処理設定をイメージマネージャ１４１５に依頼する。ここで、例えば最適サイズ用紙がなくなり、回転が必要になれば別途回転指示も依頼する。また、回転指示があった場合にはイメージマネージャ１４１５が画像回転部２２０により画像を回転させる。イメージマネージャ１４１５はプリンタ画像処理部２１８の設定を行い、シンクマネージャ１４１２を介してプリントマネージャ１４１３にプリント準備完了を伝える。そして、プリントマネージャ１４１３はプリンタ１１４に対して印刷指示を出す。
【００６２】
ここで、プリント画像転送完了は図示しないハードウェアからの割り込み信号によってイメージマネージャ１４１５に伝わる。イメージマネージャ１４１５からのプリント完了を受けてシンクマネージャ１４１２はプリント完了をファイルリードマネージャ１４１０とプリントマネージャ１４１３に伝える。ファイルリードマネージャ１４１０は終了通知をジョブマネージャ１４０７に返す。また、プリントマネージャ１４１３はプリンタ１１４からの排紙完了を受け、ジョブマネージャ１４０７に対して終了通知を返す。ジョブマネージャ１４０７は共通インターフェース部１４０６を介してコピーアプリケーション部１４０２へ終了通知を返す。そして、コピーアプリケーション部１４０２はスキャン、プリントが終了するとジョブ終了をＵＩ制御部１４０１に通知する。
【００６３】
次に、ＰＤＬデータ展開格納ジョブの場合は、ＰＤＬプリントを投入したホストＰＣからの要求がネットワークアプリケーション部１４１６を介してＰＤＬアプリケーション部１４０５に伝達される。そして、ＰＤＬアプリケーション部１４０５がＰＤＬデータ展開格納ジョブを共通インターフェース部１４０６を介してジョブマネージャ１４０７に指示する。このときＰＤＬマネージャ１４１１とファイルストアマネージャ１４１４がジョブマネージャ１４０７からの要求を受ける。画像の展開が終了し画像入力までの処理に関しては上述したスキャンジョブと同様である。メモリ上の画像（文字／写真判定信号を含めて）をＨＤＤ２０４に格納する。尚、画像の付随情報として図示しないＳＲＡＭにカラー／白黒情報、画像入力元としてＰＤＬ画像、色空間ＣＭＹＫ、若しくはＲＧＢも格納しておく。
【００６４】
ＰＤＬ画像をＨＤＤ２０４に格納し終わった時点で、シンクマネージャ１４１２から格納完了通知を受け、それを共通インターフェース部１４０６を介してＰＤＬアプリケーション部１４０５に通知する。ＰＤＬアプリケーション部１４０５は、この通知の後、ネットワークアプリケーション部１４１６にＨＤＤ２０４に格納完了を通知し、ＰＤＬプリントを投入したホストＰＣへこの情報が伝達される。また、ＰＤＬプリントジョブの場合にはＰＤＬマネージャ１４１１とプリントマネージャ１４１３によってメモリ上に展開された画像を印字する。
【００６５】
次に、ＰＤＬ展開され格納された画像のプリントは、ＵＩ１４０１で印刷指示された格納文書をＢＯＸアプリケーション部１４０４がジョブとして発行する。このＢＯＸアプリケーション部１４０４は共通インターフェース部１４０６を介してジョブマネージャ１４０７にプリントジョブを投入する。この場合、ローカルコピーとは異なり、スキャンマネージャ１４０９に代わってファイルリードマネージャ１４１０がジョブマネージャ１４０７からの要求を受ける。印刷指示された画像をＨＤＤ２０４からメモリに展開するための要求をシンクマネージャ１４１２を介してイメージマネージャ１４１５に対して行う。尚、この後の動作はリモートコピーのプリントジョブで説明した動作と同様のため、省略する。
【００６６】
次に、高速コピーモードをより高速に行うために、スキャナ１１３で読み取られた画像データをメモリに所定量蓄積すると、プリンタ１１４にプリントを開始させる、本実施形態における「追っかけ制御」について説明する。
【００６７】
図１５は、１ページのコピーシーケンスを示す図である。スキャンマネージャ１４０９はジョブマネージャ１４０７からの要求を受けると、要求されたコピーモードでスキャンのためのレジスタ設定を行うようにシンクマネージャ１４１２に依頼する（１５０１）。シンクマネージャ１４１２はそのレジスタ設定要求をイメージマネージャ１４１５に渡す（１５０２）。ここで、イメージマネージャ１４１５がコピーモードに応じてスキャン用の画像設定を行い、設定が終了すると、レジスタ設定完了をシンクマネージャ１４１２に伝え（１５０３）、シンクマネージャ１４１２がレジスタ設定完了をスキャンマネージャ１４０９に伝える（１５０４）。そして、スキャンマネージャ１４０９はスキャナ１１３に対してスキャン開始を指示する（１５０５）。その後、スキャナ１１３から出力される画像同期信号と共に画像転送が行われ、メモリ上に画像が取り込まれる。
【００６８】
ここで、ジョブマネージャ１４０７が後述する判断方法によってコピーモードで追っかけ制御が可能と判断した場合、画像転送終了見込み信号がＤＭＡコントローラ２１０から出力され、画像転送途中で画像転送終了見込み信号が割り込み信号として発生する。この割り込み信号を割り込みハンドラが処理し、イメージマネージャ１４１５に画像転送終了見込みを伝える（１５０６）。また、ＤＭＡコントローラ２１０は画像転送が終了すると割り込み信号を伝える。その割り込みから割り込みハンドラが画像転送終了をイメージマネージャ１４１５に伝える（１５０７）。イメージマネージャ１４１５は画像転送終了見込み、或いは画像転送終了を受け取ると、画像転送終了をシンクマネージャ１４１２に渡す（１５０８）。シンクマネージャ１４１２は画像転送終了を受け取るとスキャンマネージャ１４０９にそれを渡す（１５０９）。そして、スキャン終了時には、スキャナ１１３からスキャンマネージャ１４０９にスキャン完了が渡される（１５１０）。
【００６９】
スキャンマネージャ１４０９はスキャナ１１３及びシンクマネージャ１４１２の完了を受け、１ページのスキャンを完了とする。シンクマネージャ１４１２は画像転送終了（１５０８）を受けると、プリント開始可能であることをプリントマネージャ１４１３に伝える（１５１１）。次に、プリントマネージャ１４１３はプリンタ１１４に対して給紙要求を出す（１５１２）。プリンタ１１４は給紙が完了すると給紙完了をプリントマネージャ１４１３に渡す（１５１３）。プリントマネージャ１４１３はジョブマネージャ１４０７からの要求により、要求のあったコピーモードでシンクマネージャ１４１２に対してプリントのためのレジスタ設定を要求する（１５１４）。シンクマネージャ１４１２はレジスタ設定要求をイメージマネージャに渡す（１５１５）。ここで、イメージマネージャ１４１５はコピーモードに応じてプリント用の画像設定を行う。レジスタ設定が完了すると、設定完了をシンクマネージャ１４１２に伝える（１５１６）。シンクマネージャ１４１２も同様にプリントマネージャ１４１３に設定完了を通知する（１５１７）。
【００７０】
プリントマネージャ１４１３はプリント開始をプリンタに指示する（１５１８）。プリンタ１１４は画像同期信号を発生させることにより、コントローラから画像信号を受け取る。画像転送が終了したとき、割り込み信号が発生し、その割り込み信号から割り込みハンドラはイメージマネージャ１４１５に画像転送終了（１５１９）を伝える。イメージマネージャ１４１５からシンクマネージャ１４１２に画像転送終了が伝えられ（１５２０）、その後、シンクマネージャ１４１２からプリントマネージャ１４１３に伝わる（１５２１）。プリンタ１１４からもプリント完了がプリントマネージャ１４１３に伝わり、プリントマネージャ１４１３はプリント完了と、画像転送終了を受けて、１ページのプリント完了とする。
【００７１】
次に、ジョブマネージャ１４０７において上述の追っかけ制御を行うか否かを判断する判断方法について説明する。
【００７２】
図１６は、追っかけ制御を行うか否かの判断方法を説明するための図である。コピージョブ開始時、ジョブマネージャ１４０７は共通インターフェース部１４０６から受け取ったコピージョブに関する設定を図１６に示すジョブ情報データベース１６０１に格納する。イメージマネージャ１４１５は、レジスタ設定依頼（１５０２）のタイミングで、ジョブマネージャ１４０７に対して追っかけ制御が可能か否かを問い合わせる。ここで、ジョブマネージャ１４０７はジョブ情報データベース１６０１を参照して追っかけモードの可否を通知する。
【００７３】
例えば、図１６に示すように、圧板モード、１部、片面から片面へのコピー、白黒モード、原稿サイズがＡ４若しくはＬＴＲ、用紙サイズが原稿サイズと同じ、自動濃度調整なし、倍率１００％、画像回転なしであれば、追っかけ制御可能を通知する。
【００７４】
このように、本実施形態では、カラー画像に比べて白黒画像のように、メモリ消費量が比較的少ない場合や、倍率変換及び画像回転などの時間を要する指定がされていない、高速なコピーが要求された場合に、追っかけ制御可能と判断するものである。
【００７５】
図１７は、イメージマネージャ１４１５の追っかけ制御を示すフローチャートである。まず、ステップＳ１７０１において、レジスタ設定依頼を受けたか否かを判断し、依頼を受けたならばステップＳ１７０２へ進み、上述したように追っかけ制御を行うか否かをジョブマネージャ１４０７に問い合わせる。その結果、ジョブマネージャ１４０７から追っかけ制御可能と通知された場合はステップＳ１７０３へ進み、スキャナ１１３で読み取った画像データを圧縮しない、若しくは固定長圧縮モードにレジスタ設定する。そして、ステップＳ１７０４において、ＤＭＡコントローラ２１０に対して画像転送終了見込み信号をスキャン途中に出力するよう設定する。
【００７６】
また、ステップＳ１７０２において、ジョブマネージャ１４０７から追っかけ制御不可能と通知された場合はステップＳ１７０６へ進み、可変長（ＪＰＥＧ）圧縮モードにレジスタ設定する。そして、ステップＳ１７０７において、ＤＭＡコントローラ２１０に対して画像転送終了見込み信号をスキャン途中に出力しないように設定する。
【００７７】
次に、レジスタ設定が終了するとステップＳ１７０５において、レジスタ設定完了通知をシンクマネージャ１４１２に返す。そして、割り込みハンドラからの画像転送終了通知、或いは画像転送終了見込みの割り込み信号を待ち、割り込み信号があればステップＳ１７０９へ進み、シンクマネージャ１４１２に画像転送終了通知を行う。
【００７８】
以上説明したように本実施形態によれば、高速コピーモードなど所定のモードの場合に、非圧縮、或いは固定長圧縮を用いるため、一定時間当たりのスキャナからの符号量が一定になり、追っかけ制御を行うことができる。しかも、所定のモードの場合だけ、非圧縮、或いは固定長圧縮を用い、それ以外のモードの場合には、可変長圧縮を用いているため、メモリ消費量も少なくできる。
【００７９】
尚、本実施形態では、高速コピーモードの場合、追っかけ制御可能と判断しているが、本発明はこれだけに限らず、例えばＰＣ１０１からＰＤＬコードを入力し、ＲＩＰ２１６がメモリに展開し、所定量展開されたときにプリンタ１１４にプリントを開始するように制御する場合に適用しても良い。
【００８０】
また、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００８１】
更に、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００８２】
この場合、記録媒体から読出されたプログラムコード自体が前述した実施形態の機能を実現することになり、そのプログラムコードを記憶した記録媒体は本発明を構成することになる。
【００８３】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００８４】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００８５】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【００８６】
【発明の効果】
以上説明したように、本発明によれば、画像を入力してメモリに蓄積し、蓄積された画像を出力するまでの画像入出力処理を高速に行うことができる。
【図面の簡単な説明】
【図１】実施形態による画像形成システムの全体構成を示すブロック図である。
【図２】図１に示す画像形成装置の詳細な構成を示すブロック図である。
【図３】本実施形態における画像のデータ形式を示す図である。
【図４】本実施形態におけるパケットデータの構成を示す図である。
【図５】図２に示すスキャナ画像処理部２１７の構成を示すブロック図である。
【図６】図２に示すプリンタ画像処理部２１８の構成を示すブロック図である。
【図７】本実施形態における画像形成装置の外観を示す図である。
【図８】図７に示す操作部１１２の構成を示す図である。
【図９】本実施形態の画像形成装置における初期画面を示す図である。
【図１０】読込設定９０５を押下したときに表示されるポップアップウィンドウを示す図である。
【図１１】コピータブ９０１を押下したときに表示される画面を示す図である。
【図１２】ボックスタブ９０３を押下したときに表示される画面を示す図である。
【図１３】フォルダ１２０１を押下したときに表示される画面を示す図である。
【図１４】画像形成装置におけるソフトウェア構成を示す図である。
【図１５】１ページのコピーシーケンスを示す図である。
【図１６】追っかけ制御を行うか否かの判断方法を説明するための図である。
【図１７】イメージマネージャ１４１５の追っかけ制御を示すフローチャートである。
【符号の説明】
１００  ＬＡＮ
１０１  パーソナルコンピュータ（ＰＣ）
１０２  公衆回線
１１０  画像形成装置
１１１  制御ユニット
１１２  操作部
１１３  スキャナ部
１１４  プリンタ部
１２０  画像形成装置
１２１  制御ユニット
１２２  操作部
１２３  スキャナ部
１２４  プリンタ部
１３０  画像形成装置
１３１  制御ユニット
１３２  操作部
１３３  スキャナ部
１３４  プリンタ部
【図１】
2004266513.tif 000003
【図２】
2004266513.tif 000004
【図３】
2004266513.tif 000005
【図４】
2004266513.tif 000006
【図５】
2004266513.tif 000007
【図６】
2004266513.tif 000008
【図７】
2004266513.tif 000009
【図８】
2004266513.tif 000010
【図９】
2004266513.tif 000011
【図１０】
2004266513.tif 000012
【図１１】
2004266513.tif 000013
【図１２】
2004266513.tif 000014
【図１３】
2004266513.tif 000015
【図１４】
2004266513.tif 000016
【図１５】
2004266513.tif 000017
【図１６】
2004266513.tif 000018
【図１７】
2004266513.tif 000019